(57)【特許請求の範囲】
【請求項１】
遊技球が貯留される貯留部を形成した球受け皿に、貯留部の底面で開口する球抜き口と、該球抜き口と連通して下向きに開口する球出口と、球抜き口と球出口とを連通する球抜き通路とが形成され、前記貯留部に貯留されている遊技球を球出口から排出するようにした遊技機において、
前記球抜き通路は、後側から前側に向けて延在して球抜き口から流入する遊技球を案内する球通路を備え、該球通路の底面の前端部に前記球出口が開口し、
前記球出口より球通路を流下する遊技球の進行方向前側に臨む壁面に、球出口に向かう遊技球に干渉して減勢する突部が突設され、
前記突部は、上側から下側に向かうにつれて後側に向けて漸次突出する形状に形成された
ことを特徴とする遊技機。
【請求項２】
前記突部は、上下方向に延在する稜線が上側から下側に向かうにつれて後側に向けて傾斜する山形に形成され、該稜線を挟む両側に傾斜面を備える請求項１記載の遊技機。
【請求項３】
遊技球が貯留される貯留部を形成した球受け皿に、貯留部の底面で開口する球抜き口と、該球抜き口と連通して下向きに開口する球出口と、球抜き口と球出口とを連通する球抜き通路とが形成され、前記貯留部に貯留されている遊技球を球出口から排出するようにした遊技機において、
前記球抜き通路は、前記球出口の開口方向と交差する方向に延在して球抜き口から流入する遊技球を案内する球通路を備え、該球通路の底面に前記球出口が開口し、
前記球出口より球通路を流下する遊技球の進行方向前側に臨む壁面に、球出口に向かう遊技球に干渉して減勢する突部が突設され、
前記球出口を挟んで前記壁面とは反対側の球通路の底面は、球通路を流下する遊技球を前記突部に向け案内する上向きの傾斜面を備えた
ことを特徴とする遊技機。
【発明の詳細な説明】
【技術分野】
【０００１】
この発明は、球受け皿に貯留した遊技球を、球箱等に排出するようにした遊技機に関するものである。
【背景技術】
【０００２】
代表的な遊技機であるパチンコ機は、貸球や、遊技中に獲得した賞球等のパチンコ球を貯留する球受け皿(上球受け皿、下球受け皿)を備えている(例えば、特許文献１参照)。球受け皿は、該球受け皿に形成したパチンコ球の貯留部の底面に球抜き口が形成され、該球抜き口を開閉する球抜き手段を開放することで、貯留部に貯留されているパチンコ球は、球抜き口に連通する球排出通路を流下して球受け皿の下面で開口する球出口から外部に排出されるようになっている。
【先行技術文献】
【特許文献】
【０００３】
【特許文献１】特開２０１１−１０１７５６号公報
【発明の概要】
【発明が解決しようとする課題】
【０００４】
前記パチンコ機では、前記球受け皿の下方に設けられた島設備の球箱載置部に球箱をセットした状態で前記球抜き手段を開放することで、球受け皿に貯留されているパチンコ球が球箱に抜出される。球受け皿の下面と球箱載置部との間隔は、球箱を前側から出し入れするために球箱の高さ寸法より大きく設定される。このため、球箱にパチンコ球が全く入っていない状態では前記球出口と球箱の底面との離間距離が大きく、該球出口から排出されるパチンコ球が球箱の底面で勢いよく弾んで外部に飛び出してしまうことがある。このようなパチンコ球の飛び出しは、遊技者に損失を与えるだけでなく、遊技者に不快感を与える問題を招いていた。
【０００５】
すなわち本発明は、従来の技術に係る遊技機に内在する前記問題に鑑み、これらを好適に解決するべく提案されたものであって、球受け皿から抜出される遊技球が飛散するのを抑制し得る遊技機を提供することを目的とする。
【課題を解決するための手段】
【０００６】
前記課題を克服し、所期の目的を達成するため、本願の請求項１に係る発明は、
遊技球(P)が貯留される貯留部(42a)を形成した球受け皿(16)に、貯留部(42a)の底面で開口する球抜き口(50)と、該球抜き口(50)と連通して下向きに開口する球出口(65)と、球抜き口(50)と球出口(65)とを連通する球抜き通路(44)とが形成され、前記貯留部(42a)に貯留されている遊技球(P)を球出口(65)から排出するようにした遊技機において、
前記球抜き通路(44)は、後側から前側に向けて延在して球抜き口(50)から流入する遊技球(P)を案内する球通路(44b)を備え、該球通路(44b)の底面の前端部に前記球出口(65)が開口し、
前記球出口(65)より球通路(44b)を流下する遊技球(P)の進行方向前側に臨む壁面(68a)に、球出口(65)に向かう遊技球(P)に干渉して減勢する突部(69)が突設され、
前記突部(69)は、上側から下側に向かうにつれて後側に向けて漸次突出する形状に形成されたことを要旨とする。
【０００７】
請求項１に係る発明によれば、遊技球が突部に当ることで減勢され、球受け皿の下方にセットした球箱に落下する際の遊技球の勢いは弱くなるので、該遊技球が球箱から飛び出すのを抑制することができる。
また、突部に当った遊技球は後側に跳ね、球出口における後側に偏った位置から球箱に落下するので、球箱の前側へ遊技球が飛び出すのを抑制し得る。
【０００９】
請求項２に係る発明では、前記突部(69)は、上下方向に延在する稜線(69a)が上側から下側に向かうにつれて後側に向けて傾斜する山形に形成され、該稜線(69a)を挟む両側に傾斜面(69b)を備えることを要旨とする。
請求項２に係る発明によれば、突部の傾斜面に当った遊技球を横方向に跳ねさせることができ、該遊技球を隣り合う別の傾斜面に当て遊技球をより減勢して、遊技球が飛散するのをより抑制し得る。また、傾斜面に当った遊技球が横方向に向かうことで球箱の一部に遊技球が集中して落下するのを防止することができる。すなわち、球箱の一部に遊技球が集中して落下すると該球が山形に貯留され、後から落下する遊技球が山の上部の遊技球に当ることで球箱から飛び出し易くなってしまうが、請求項３の発明では球箱に分散して遊技球を排出することができるので遊技球が山形に貯留され難く、これにより遊技球の球箱からの飛び出しを抑制し得る。
【００１０】
前記課題を克服し、所期の目的を達成するため、本願の請求項３に係る発明は、
遊技球(P)が貯留される貯留部(42a)を形成した球受け皿(16)に、貯留部(42a)の底面で開口する球抜き口(50)と、該球抜き口(50)と連通して下向きに開口する球出口(65)と、球抜き口(50)と球出口(65)とを連通する球抜き通路(44)とが形成され、前記貯留部(42a)に貯留されている遊技球(P)を球出口(65)から排出するようにした遊技機において、
前記球抜き通路(44)は、前記球出口(65)の開口方向と交差する方向に延在して球抜き口(50)から流入する遊技球(P)を案内する球通路(44b)を備え、該球通路(44b)の底面に前記球出口(65)が開口し、
前記球出口(65)より球通路(44b)を流下する遊技球(P)の進行方向前側に臨む壁面(68a)に、球出口(65)に向かう遊技球(P)に干渉して減勢する突部(69)が突設され、
前記球出口(65)を挟んで前記壁面(68a)とは反対側の球通路(44b)の底面は、球通路(44b)を流下する遊技球(P)を前記突部(69)に向け案内する上向きの傾斜面(67b)を備えたことを要旨とする。
請求項３に係る発明によれば、遊技球が突部に当ることで減勢され、球受け皿の下方にセットした球箱に落下する際の遊技球の勢いは弱くなるので、該遊技球が球箱から飛び出すのを抑制することができる。
また、球通路を流下する遊技球を傾斜面によって突部に向けて案内することができ、遊技球の勢いを確実に減らすことができる。また、傾斜面自体も上向きとなっているので、遊技球が傾斜面を上ることでも勢いを弱まらせることができる。
【発明の効果】
【００１１】
本発明に係る遊技機によれば、球出口から排出される遊技球が飛散するのを抑制し得る。
【図面の簡単な説明】
【００１２】
【図１】本発明の好適な実施例に係るパチンコ機を示す正面図である。
【図２】実施例の外枠と中枠とを組付けた状態を示す背面図であって、遊技盤は取外してある。
【図３】実施例の前枠を前側から視た状態で示す概略斜視図である。
【図４】実施例の前枠を後側から視た状態で示す概略斜視図である。
【図５】実施例の前枠を示す横断平面図である。
【図６】実施例の球受け皿を後側から視た状態で示す概略斜視図である。
【図７】実施例の球受け皿を示す縦断側面図である。
【図８】実施例の球受け皿を示す要部縦断側面図である。
【図９】実施例の球受け皿を示す要部横断平面図である。
【図１０】実施例の球受け皿からカバー部材を取外した状態で示す要部概略斜視図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組付けられて、該遊技盤１２の裏側に、各種図柄を変動表示可能な図柄表示装置１４が着脱可能に配設されている。また、前記中枠１３の前面側には、前記遊技盤１２を透視保護するガラス板や透明な合成樹脂材により形成された透明部材で前後に開口する窓部を覆うよう構成された開閉部材としての前枠１５が開閉可能に組付けられると共に、該前枠１５の下部位置にはパチンコ球Ｐを貯留する球受け皿１６が前枠１５と一体的に開閉可能に組付けられる。前枠１５には、球受け皿１６の側方に、前記中枠１３に配設された打球発射装置(図示せず)を作動する操作ハンドル１７が設けられ、該操作ハンドル１７の回動操作によって打球発射装置が作動されて、前記球受け皿１６に貯留されたパチンコ球Ｐが前記遊技盤１２に向けて発射されるようになっている。なお、実施例では、前記図柄表示装置１４としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１５】
(遊技盤１２について)
前記遊技盤１２は、ベニヤ板や透明なアクリル板等から所定板厚の略矩形状に形成された板状体であって、該遊技盤１２の表面(盤面)に配設された略円形状に湾曲形成する案内レール１８により、パチンコ球Ｐが流下可能な遊技領域１９が画成される。また、前記遊技盤１２の裏面に、前記図柄表示装置１４が取付けられた設置部材(図示せず)が配設されている。遊技盤１２には、図柄表示装置１４の図柄表示部に対応する位置に前後に開口する表示開口部(図示せず)が開設され、該表示開口部に合わせて、所要の装飾を施したセンター役物とも称される枠状装飾体２０が臨むようになっている。また遊技盤１２には、遊技領域１９に臨む位置に、パチンコ球Ｐの入賞により図柄表示装置１４の図柄を変動開始させる始動入賞装置２１や、大当りの発生時に開放する特別入賞装置２２の各種遊技部品が配設されている。
【００１６】
(中枠１３について)
図２に示すように、前記中枠１３は、上縁をなす上枠部２３と、下縁をなし、スピーカや球発射装置等を設置する設置部材として機能する下枠部２４と、一方の側縁(パチンコ機１０の前側から見て左側)をなす第１側枠部２５と、他方の側縁(パチンコ機１０の前側から見て右側)をなす第２側枠部２６とから構成されて、これら上下左右の枠部２３,２４,２５,２６を組付けた際に、全体が外枠１１の開口領域に整合する大きさに形成される。そして、外枠１１に対して中枠１３の第１側枠部２５側が、ヒンジ機構を介して回動自在に支持されて、第２側枠部２６側が施錠装置により施錠されるようになっている。また、中枠１３には、上下左右の枠部２３,２４,２５,２６を組付けることで前後に開口する開口領域が画成され、この開口領域に遊技盤１２が設置される。なお、前記外枠１１には、中枠１３の下枠部２４から下方に延出する部分に、該部分の前面を覆う幕板１１ａが配設され、前記球受け皿１６からの球抜きに際して島設備の球箱載置部に載置した球箱７２の後面を幕板１１ａに当接することで、該球箱７２が球受け皿１６の下方に臨んで後述する球出口６５から排出されるパチンコ球Ｐを受け入れ得るようになっている(図８参照)。
【００１７】
図２に示すように、前記中枠１３には、設置枠台に設けられた球供給設備(図示せず)から供給されるパチンコ球Ｐを貯留可能な球貯留部２７が、上枠部２３の裏側に設けられている。また、中枠１３には、球受け皿１６に連通する球流通路が形成された球通出案内部２８が、下枠部２４の裏側に配設されている。そして、球貯留部２７と球通出案内部２８とが、球通路ユニット２９によって連通接続されている。また、球通路ユニット２９には、パチンコ球Ｐの払出しを行なう球払出装置３０が配設されており、所定の制御条件に基づいて球払出装置３０が作動することで、球貯留部２７に貯留されるパチンコ球Ｐは、球通路ユニット２９および球通出案内部２８を介して賞球または貸球として前記球受け皿１６に給出されるようになっている。
【００１８】
(前枠１５について)
前記前枠１５は、図３および図４に示す如く、内側に窓部を開口した枠体３１と、この枠体３１の下部に設けられた設置部３２とから基本的に構成され、枠体３１に前記透明部材が後側から取付けられて窓部を覆うよう構成される。一方、設置部３２には、前記中枠１３に配設したスピーカの出力部を挿通可能な通孔３２ａが形成されると共に後側に球送り装置３３が配設され、また通孔３２ａに挿通されたスピーカを前側から覆うように前記球受け皿１６が設置部３２に対して前側から取付けられる。設置部３２には、中枠１３に対して閉成した状態で、該中枠１３に形成されて前記球通出案内部２８に連通する球経路部(図示せず)に連通する球受入口３２ｂが前後方向に開口するよう形成され、該球受入口３２ｂは、球受け皿１６の後述する貯留部４２ａに連通するよう構成される。すなわち、前記球払出装置３０の作動によって球通出案内部２８に供給されたパチンコ球Ｐは、前枠１５の球受入口３２ｂを介して球受け皿１６の貯留部４２ａに給出されるようになっている。
【００１９】
(球受け皿１６について)
前記前枠１５の設置部３２に配設された前記球受け皿１６は、図６に示す如く、当該球受け皿１６の外郭となる上方および後方に開口する箱状の外郭体３４と、該外郭体３４の裏側に配設されてパチンコ球Ｐを貯留する貯留部４２ａを画成した球皿本体３５と、外郭体３４と球皿本体３５との間の隙間に嵌合され、各種操作ボタン３７,３８,３９が装備された操作ユニット３６とを基本的な構造部材として組付けることでユニット化されている。また、球受け皿１６は、前記前枠１５の設置部３２の左右方向の幅に整合するサイズに構成されている(図３,図５参照)。
【００２０】
前記操作ユニット３６は、球受け皿１６の上面の一部を構成するものであって、該ユニット３６には、図３,図５および図６に示す如く、当該パチンコ機１０におけるゲーム制御用(演出選択用、精算用等)の各種制御用ボタン３７、球貸し操作用の球貸し操作ボタン３８および後述する第２開閉弁５９の操作用の第２球抜き操作ボタン３９等が上側に臨むようにして配設されている。
【００２１】
前記外郭体３４は、該外郭体３４の底部を構成する横長矩形状の底壁部４０と、該底壁部４０の前端縁から上方に立上がると共に前方に張り出すように膨出する前壁部４１とを備えて、後方および上方に開口している。そして、底壁部４０と前壁部４１とで画成される空間に、前壁部４１の裏側に臨むように前記球皿本体３５が収容されると共に、該球皿本体３５と前壁部４１との間に画成される上下方向に開口する隙間に、前記操作ユニット３６が上側から配設されるよう構成される。なお、前壁部４１は、図３および図５に示す如く、左右方向の両側を後退させた曲面状に形成されて、前方への圧迫感を抑えるようにしている。また、前壁部４１の左右両端には設置部３２と平行な平坦部が設けられ、右側の平坦部と曲面部との境に前記操作ハンドル１７の装着部４１ａが設けられている。
【００２２】
(球皿本体３５について)
前記球皿本体３５は、図６および図７に示す如く、上方および後方に開口する受皿部４２が上部に設けられ、球受け皿１６を前記設置部３２に取付けることで、該受皿部４２と設置部３２の前面とにより、パチンコ球Ｐを貯留する上方に開口する貯留部４２ａが画成される。また球皿本体３５には、受皿部４２の下側に球皿構成部４３が設けられ、該球皿構成部４３に、後方および下方に開口する第１球抜き通路(球抜き通路)４４と、後方に開口すると共に第１球抜き通路４４に連通接続する第２球抜き通路４５とが形成され、これら球抜き通路４４,４５の後方開口は、球受け皿１６を設置部３２に取付けることで該設置部３２の前面で閉成されるよう構成される。なお、球皿構成部４３には、前記スピーカと対応する位置に、筒状の収容壁部４６が設けられ、前記設置部３２に球受け皿１６を配設することで、該収容壁部４６内にスピーカの出力部が収容されるよう構成される。また、収容壁部４６で画成される内部空間は、前記底壁部４０に形成した放音口４０ａ(図１０参照)に連通すると共に、該空間の途中に設けた壁にスピーカ用の多数の透孔が形成されている。すなわち、スピーカから出力された音は、底壁部４０の放音口４０ａから放出されるようになっている。なお、底壁部４０には、多数の透過孔４７ａが形成されたカバー部材４７が下側から配設され、該カバー部材４７における透過孔４７ａの形成領域で放音口４０ａが覆われている。
【００２３】
前記受皿部４２の内底面は、図５に示す如く、左側から右側に向かうにつれて前後幅が小さくなるよう設定されると共に、右端部側にはパチンコ球１個分の前後幅で金属製のレール４８が敷設された整列送出部４２ｂが設けられている。また受皿部４２の底面は、左側から右側に向かうにつれて所定角度で下方傾斜するよう形成され、整列送出部４２ｂの右端(下流端)に設けられた球送り口４９に向けて受皿部４２に貯留されるパチンコ球Ｐが１列で流れ込むよう構成される。そして、球送り口４９に通入して後述する第２開閉弁５９(図７参照)を介して後方に案内されるパチンコ球Ｐが、前記設置部３２に配設した球送り装置３３によって１個ずつ発射レール(図示せず)に送り込まれるよう構成されている。
【００２４】
前記受皿部４２の底面(貯留部４２ａの底面)には、図５,図６または図７に示す如く、左右方向の略中央に上下方向に開口する球抜き口５０が形成されており、該球抜き口５０が前記第１球抜き通路４４に連通している。また受皿部４２には、球抜き口５０を開閉可能な第１開閉弁５１が操作可能に配設される。この第１開閉弁５１は、前記前壁部４１に設けた第１球抜き操作ボタン５２を前側から操作することによって開閉作動し、開放状態で球抜き口５０を第１球抜き通路４４に連通し、受皿部４２(貯留部４２ａ)に貯留されているパチンコ球Ｐを第１球抜き通路４４に通出し得るよう構成される。なお、第１開閉弁５１は、閉成状態で第１球抜き操作ボタン５２を操作した際には、第１球抜き操作ボタン５２と第１開閉弁５１とを連繋する連繋機構によって開放状態に保持可能に構成され、再び第１球抜き操作ボタン５２を操作することで閉成状態に復帰するよう構成されている。
【００２５】
(第１球抜き通路４４について)
前記第１球抜き通路４４は、図６,図７または図８に示す如く、前記球抜き口５０の下側から下方に向けて縦方向に延在する第１通路部４４ａと、該第１通路部４４ａの下端に接続して前側に向けて延在する第２通路部(球通路)４４ｂとから構成され、該第２通路部４４ｂの前端部が、後述する球出口６５に連通するよう構成される。第１通路部４４ａは、受皿部４２の下面から下方に向けて延在する第１壁５３と、左右方向に離間して第１壁５３から後方に延出する第２壁５４および第３壁５５と、前記設置部３２の前面とによって画成される。第２壁５４と第３壁５５とは、図６に示す如く、第１通路部４４ａの上側から途中までの間で上側から下側に向かうにつれて左右方向の幅が徐々に広がった後、一定幅で垂下するように形成される。図６において右側に位置する第３壁５５は、前記収容壁部４６の一部を構成するものであって、該第３壁５５の上部は第２壁５４に向けて凸となるよう湾曲し、この湾曲部分が、前記球抜き口５０の下方に臨んでいる。すなわち、球抜き口５０を通出したパチンコ球Ｐは、第３壁５５の湾曲部分に当って落下方向が第２壁５４に向かうように変更されるようになっており、これによってパチンコ球Ｐを減勢し得るようになっている。なお、湾曲部分の外面(パチンコ球Ｐが落下する部位)には、複数の補強リブ５５ａが前後方向に並設されて補強されており、パチンコ球Ｐの落下の衝撃によって第３壁５５が損傷するのを抑制し得るようにしてある。
【００２６】
前記第３壁５５における湾曲部分の下側に、第２壁５４に向けて突出する第１段部５６が設けられ、該第１段部５６によってもパチンコ球Ｐを減勢し得るようになっている。この第１段部５６は、図６に示す如く、前記収容壁部４６を構成する壁と、該壁に対して第２壁５４側に離間して並設した壁とを複数のリブを介して接続して構成されたものであって、このような構成とすることで第１段部５６の強度を向上するようにしてある。また、第１段部５６は、前記第１球抜き通路４４に対する第２球抜き通路４５の後述する連通部５４ａに対向しており、第２球抜き通路４５から第１球抜き通路４４に通入するパチンコ球Ｐの勢いによっては、該パチンコ球Ｐが第１段部５６に当った後に落下するよう構成される。
【００２７】
前記第１球抜き通路４４の第２通路部４４ｂは、図７および図８に示す如く、前記第１壁５３の下端から前方に向けて延在する第４壁５７と、該第４壁５７の左右の縁部および前縁部から垂設されて前記第２壁５４および第３壁５５に接続する平面視コ字状の第５壁５８と、前記外郭体３４の底壁部４０に設けられた後述する受部材６４とにより画成される。そして、前記第１通路部４４ａを流下(落下)するパチンコ球Ｐは、受部材６４上に落下した後に、該受部材６４上を前方に流下するよう構成される。
【００２８】
(第２球抜き通路４５について)
前記球送り口４９は、図６に示す如く、前記球皿構成部４３に形成した前記第２球抜き通路４５の上流端に接続し、該接続部に球送り口４９を開閉する第２開閉弁５９(図７参照)が操作可能に配設される。この第２開閉弁５９は、前記操作ユニット３６に設けた第２球抜き操作ボタン３９の操作によって開閉作動し、開放状態で球送り口４９を第２球抜き通路４５に連通し、受皿部４２(貯留部４２ａ)に貯留されているパチンコ球Ｐを第２球抜き通路４５を介して第１球抜き通路４４に通出し得るようになっている。なお、第２開閉弁５９は、閉成状態で球送り口４９と第２球抜き通路４５との連通状態を遮断すると共に、球送り口４９に通入したパチンコ球Ｐを上面で前記球送り装置３３に案内するべく機能する。
【００２９】
前記第２球抜き通路４５は、図６に示す如く、受皿部４２の下面から下方に向けて延在する第６壁６０と、該第６壁６０から後方に突出して前記球送り口４９との接続部から下方に所定長さ延在した後に左方(第１球抜き通路４４側)に向けて下方傾斜するよう延在する第７壁６１および第８壁６２と、前記設置部３２の前面とによって画成される。第７壁６１および第８壁６２は、球送り口４９の下方では左右方向に離間し、その後に左側に湾曲した後は上下方向に離間した状態で第１球抜き通路４４の第１通路部４４ａまで延在している。また、第２球抜き通路４５の下流端は、第１通路部４４ａを画成する第２壁５４に形成した開口(以後、連通部５４ａという)を介して第１通路部４４ａに連通している。
【００３０】
前記第２球抜き通路４５は、前後幅が、上流端から途中まではパチンコ球Ｐが１個流下可能な寸法に設定されると共に、該途中から第１球抜き通路４４との連通部５４ａまでは複数のパチンコ球Ｐが流下可能な寸法に広げられている。すなわち、第２球抜き通路４５の上流側の幅狭部４５ａから下流側の幅広部４５ｂにパチンコ球Ｐが移行することで、該パチンコ球Ｐが前後方向に分散し、前記受部材６４に対する落下位置が分散されるようになっている。また、第１球抜き通路４４と第２球抜き通路４５との連通部５４ａより下側の第２壁５４に、第１通路部４４ａ側に突出する第２段部５４ｂが設けられ、連通部５４ａから落下するパチンコ球Ｐ、あるいは連通部５４ａより上側の第１通路部４４ａから流下するパチンコ球Ｐが第２段部５４ｂに当ることによって減勢し得るよう構成される。なお、第２球抜き通路４５における幅狭部４５ａの底面を画成する第８壁６２に第３段部６２ａが設けられ、該幅狭部４５ａを流下するパチンコ球Ｐの勢いを第３段部６２ａで弱め得るようにしてある。
【００３１】
(受部材６４について)
前記外郭体３４の底壁部４０には、図７および図８に示す如く、前記第１球抜き通路４４における第１通路部４４ａの下側に臨む位置に凹部６３が設けられ、該凹部６３に受部材６４が着脱自在に配設されている。この受部材６４は、第１球抜き通路４４における第２通路部４４ｂの底面を構成する部材であって、該受部材６４は、前記球皿構成部４３を形成する樹脂材料(例えばＡＢＳ樹脂)より軟質な樹脂材料(例えばポリプロピレン(ＰＰ))で形成されて、パチンコ球Ｐの衝突時の衝撃を緩和すると共に騒音低減を図り得るよう構成される。また底壁部４０には、凹部６３より前側に上下方向に開口する球出口６５が形成されており、底壁部４０の上面に、該球出口６５を囲繞するように前記第５壁５８の下端が当接している。すなわち、球出口６５は、前後方向に延在する前記第２通路部４４ｂの前端部において交差する上下方向に開口する状態で連通し、第１通路部４４ａから第２通路部４４ｂに流入したパチンコ球Ｐは、受部材６４上を前側に流下して球出口６５から下方に排出されるよう構成される。言い替えるなら、球出口６５の開口方向と、第２通路部４４ｂの延在方向とは交差しており、第２通路部４４ｂを進行してくるパチンコ球Ｐは、そのままの方向で外部に排出されるのではなく、該進行方向と交差する方向に進行方向が変更されて外部に排出されるようになっている。
【００３２】
前記受部材６４は、図１０に示す如く、略矩形状の本体６４ａの後縁および左右両側縁に後壁６４ｂおよび側壁６４ｃ,６４ｃを上方に立上がるように形成することで、上方および前方に開口する受皿状に形成される。受部材６４の底面６６ａ,６６ｂ(本体６４ａの上面)は、図７に示す如く、後壁６４ｂ側(球出口６５から離間する側)に、下向きに凸となる弧状面６６ａが形成されると共に、該弧状面６６ａの前側には、該弧状面６６ａの前端に連なって受部材６４の前端縁までの間で全体として後側から前側(球出口６５に対して離間する側から近接する側)に向かうにつれて下方傾斜する斜状面６６ｂが形成される。また受部材６４は、本体６４ａの左右側縁から立上がる側壁６４ｃ,６４ｃにおける対向面は、前記弧状面６６ａの前端付近から前側に向かうにつれて相互に離間するよう形成されて、側壁６４ｃ,６４ｃの間に画成されるパチンコ球Ｐの通路が前側に向かうにつれて拡開するよう構成される(図９参照)。更に、受部材６４の前記斜状面６６ｂには、左右方向の中央に、上側に山形に盛り上がると共に斜状面(底面)６６ｂの前端より前方に突出する減勢部６７が形成されている。この減勢部６７は、前後方向に延在する稜線６７ａを挟む左右両側に、斜状面６６ｂから稜線６７ａに向けて上向きに傾斜すると共に前側に向かうにつれて高くなる第１傾斜面(傾斜面)６７ｂが形成されている。そして、受部材６４の底面を流下するパチンコ球Ｐが第１傾斜面６７ｂに乗り上がった後に該傾斜面６７ｂ上を下がることでパチンコ球Ｐの進行方向を左方または右方に変向し得るよう構成される。
【００３３】
(突部６９,７１について)
前記底壁部４０における前記球出口６５を画成する内周面６８であって、前記受部材６４上を流下するパチンコ球Ｐの進行方向前側に臨む前壁面(壁面)６８ａに、左右方向に離間して複数(実施例では２つ)の第１突部(突部)６９が、後側(球出口６５側)に向けて突設されている。第１突部６９は、上側から下側に向かうにつれて後側に向けて漸次突出する形状に形成される。実施例の第１突部６９は、図１０に示す如く、上下方向に延在する稜線６９ａが上側から下側に向かうにつれて後側に向けて傾斜する山形に形成され、該稜線６９ａを挟む左右両側に、三角形状の第２傾斜面(傾斜面)６９ｂ,６９ｂが形成されている(図９参照)。また実施例では、一対の第１突部６９,６９が、図９に示す如く、前記受部材６４に設けた減勢部６７の前方において左右両側に臨むように位置して、該減勢部６７の第１傾斜面６７ｂで進行方向が変向されたパチンコ球Ｐが対応する第１突部６９に向かうよう構成される。また実施例では、受部材６４における減勢部６７と各側壁６４ｃとの間に画成される通路を斜状面６６ｂに沿って流下して該受部材６４の前端から前方に飛び出したパチンコ球Ｐも第１突部６９に向かうようになっている。
【００３４】
前記外郭体３４の底壁部４０の下面に配設される前記カバー部材４７には、図１０に示す如く、前記球出口６５と対応する位置に、該球出口６５と略同一形状で上下方向に開口する通孔４７ｂが形成されている。この通孔４７ｂを画成する内周面７０における前記第１突部６９,６９が設けられる前壁面６８ａと対応する前壁面７０ａに、各第１突部６９と対応して後側に向けて突出する第２突部７１が設けられている。この第２突部７１は、図９および図１０に示す如く、第１突部６９の底面形状と略相似する形状で後側に三角形の山形に突出するよう形成されると共に、その外形寸法は、第１突部６９の底面より大きく設定されて、第１突部６９の底面から外方に突出するようになっている(図７,図８参照)。すなわち、第１突部６９や前壁面６８ａ,７０ａに当って落下したパチンコ球Ｐが第２突部７１に当り得るよう構成され、該第２突部７１に当ったパチンコ球Ｐを減勢し得るようになっている。
【００３５】
(実施例の作用)
次に、実施例に係るパチンコ機１０の作用につき説明する。前記球受け皿１６に貯留されているパチンコ球Ｐを排出する際には、該球受け皿１６の下方に球箱７２(図８参照)を位置決めした状態で、前記第１球抜き操作ボタン５２を操作して、第１開閉弁５１を開放状態として前記球抜き口５０を開放する。これにより、球受け皿１６の貯留部４２ａにおいて球抜き口５０より上流側に貯留されているパチンコ球Ｐは、該球抜き口５０から第１球抜き通路４４に通入し、前記球出口６５から球箱７２に排出される。
【００３６】
次に、前記第１球抜き通路４４を流下して球出口６５から排出されるパチンコ球Ｐの挙動について詳細に説明する。前記球抜き口５０に接続する第１球抜き通路４４における第１通路部４４ａを構成する第３壁５５は、図６に示す如く、該球抜き口５０の下方に湾曲部分を臨ませているので、球抜き口５０から通出するパチンコ球Ｐは第３壁５５の湾曲部分に当ることで減勢されて第１通路部４４ａを流下する。ここで、球抜き口５０を通出する際のパチンコ球Ｐの勢いによって、パチンコ球Ｐは湾曲部分に沿って流下するものや、該湾曲部分に当って第２壁５４側に跳ねるものとがある。そして、湾曲部分に沿って流下するパチンコ球Ｐは、該湾曲部分に連なる前記第１段部５６に当ることで、更なる減勢が図られ、また第２壁５４側に跳ねたパチンコ球Ｐは、該第２壁５４に設けた前記第２段部５４ｂに当ることで、更なる減勢が図られる。すなわち、第１通路部４４ａを流下(落下)するパチンコ球Ｐは、複数の減勢作用によって勢いが弱められる。なお、第３壁５５の湾曲部分には補強リブ５５ａが並設されているので、球抜き口５０を通出したパチンコ球Ｐが直接当る湾曲部分が損傷するのは防止される。また、第１段部５６についても、単に壁の板厚を大きくしたものでなく、一対の壁をリブで接続する構成としたことで、成形時のヒケ等の問題を招くことなく強度および耐久性を向上して損傷するのを抑制し得る。
【００３７】
前記第１球抜き通路４４の第１通路部４４ａから第２通路部４４ｂに通入するパチンコ球Ｐは、図７および図８に示す如く、第２通路部４４ｂの底面を構成する前記受部材６４上に落下し、該受部材６４の底面６６ａ,６６ｂに沿って前方に流下する。受部材６４の底面６６ａ,６６ｂを前方に向けて流下するパチンコ球Ｐは、底面６６ａ,６６ｂの前端から球出口６５に直接落下するものや、前記減勢部６７の第１傾斜面６７ｂ,６７ｂで進行方向が第１突部６９に向かうように変向されて前方に放出されるもの等がある。
【００３８】
前記減勢部６７を介して受部材６４の前方に放出されるパチンコ球Ｐについて、前記底面の斜状面６６ｂから第１傾斜面６７ｂに乗り上がったパチンコ球Ｐは、その勢いによっては減勢部６７の稜線６７ａを越えることなく同じ第１傾斜面６７ｂを下がりながら前方に放出される。このパチンコ球Ｐは、図９に示す如く、前記前壁面６８ａに形成した第１突部６９に向かい、該第１突部６９に当って減勢されたパチンコ球Ｐが球出口６５から球箱７２に落下する。第１突部６９に当ったパチンコ球Ｐの球箱７２の底面に衝突する際の勢いは弱く、パチンコ球Ｐが球箱７２を飛び出してしまうのは抑制される。また実施例では、第１突部６９の下端から外方に突出する第２突部７１が設けられているので、第１突部６９に当って落下するパチンコ球Ｐが、更に第２突部７１に当ることで、パチンコ球Ｐの勢いは更に弱められ、パチンコ球Ｐが球箱７２から飛び出すのを確実に防止し得る。
【００３９】
また、前記減勢部６７の第１傾斜面６７ｂは、斜状面６６ｂに対して上向きに傾斜しているので、該第１傾斜面６７ｂにパチンコ球Ｐが乗り上がることによっても勢いは弱められ、減勢部６７から前方に放出されて第１突部６９に当る前にパチンコ球Ｐの勢いはある程度弱められる。なお、前記受部材６４の弧状面６６ａや斜状面６６ｂを流下する際の勢いが強いパチンコ球Ｐは、減勢部６７の一方の第１傾斜面６７ｂに乗り上がって稜線６７ａを越えて他方の第１傾斜面６７ｂを下がる場合もあるが、このパチンコ球Ｐも減勢部６７を乗り越えることで勢いは弱められるから、勢いがあるまま第１突部６９に当ることはなく、該第１突部６９による減勢作用によって充分に減勢される。更に、減勢部６７の第１傾斜面６７ｂに乗り上がることによってパチンコ球Ｐの勢いは弱められるから、減勢部６７の前端から落下するパチンコ球Ｐが第１突部６９や前壁面６８ａ等に当ることなく球出口６５から排出される場合もあるが、このパチンコ球Ｐの勢いは減勢部６７で弱められているから、前記球箱７２の前側に向けて勢いよく飛び出すことはない。すなわち、減勢部６７で勢いが弱められることで第１突部６９や前壁面６８ａ等に当らないようなパチンコ球Ｐは、減勢部６７の前端から略真下に落下し、該パチンコ球Ｐが球箱７２から前方へ飛び出すのは防止される。
【００４０】
前記第１突部６９は、図７および図８に示す如く、上側から下側に向けて後側に漸次突出する形状に形成されているので、該第１突部６９に当ったパチンコ球Ｐは後方に跳ね返ることで、前記球出口６５における後部側から球箱７２に落下する。すなわち、前記球受け皿１６の下側にセットされた球箱７２の前端縁から離間する後方位置にパチンコ球Ｐが落下するので、該球箱７２の底面で跳ねたパチンコ球Ｐが前端縁を越えて飛び出すのを有効に防止し得る。
【００４１】
実施例では、受部材６４に設けた減勢部６７によって２つの第１突部６９に向けてパチンコ球Ｐを案内するようになっており、かつ各第１突部６９は稜線６９ａを挟む両側に相反する方向に傾斜する第２傾斜面６９ｂ,６９ｂを備えているので、第１突部６９に当ったパチンコ球Ｐは、その当った位置によって多方向に跳ね返る。すなわち、球出口６５の特定箇所から集中してパチンコ球Ｐが球箱７２に落下することはなく、球出口６５から広範囲に亘って分散してパチンコ球Ｐが落下するので、球箱７２の所定箇所にパチンコ球Ｐが山形に溜ることを防止し、球同士の衝突による外部飛散を抑制することができる。
【００４２】
また、前記受部材６４は、第１通路部４４ａからパチンコ球Ｐが落下する後部位置より前部位置の間口が広がるよう構成してあるので、第１通路部４４ａから受部材６４の底面に落下したパチンコ球Ｐは左右方向に広がりながら前方に放出され、これによってもパチンコ球Ｐを分散して球箱７２に落下させることができる。
【００４３】
前記減勢部６７の第１傾斜面６７ｂに乗り上げることなく、減勢部６７と各側壁６４ｃとの間の通路を斜状面６６ｂに沿って前方に流れるパチンコ球Ｐにおいても、受部材６４の前端から放出されて前記第１突部６９に当って落下する。このパチンコ球Ｐは、第１突部６９との当接、更には第２突部７１との当接によって減勢される。また、減勢部６７と各側壁６４ｃとの間の通路を前方に流れるパチンコ球Ｐにおいては、側壁６４ｃの斜面で案内されることで球出口６５を画成する内周面６８における左右の側面に当って内側に跳ねることで第１突部６９に当るものもあり、このパチンコ球Ｐは第１突部６９や第２突部７１との当接によって減勢されて落下する。すなわち、受部材６４上を前方に流下して該受部材６４から前方に放出されるパチンコ球Ｐは、球出口６５の内周面６８や第１突部６９および第２突部７１に当った後に球出口６５から落下するので、充分に減勢されており、球箱７２からパチンコ球Ｐが飛び出すのを防止し得る。
【００４４】
また、前記受部材６４は比較的軟質な合成樹脂で形成されているから、パチンコ球Ｐが落下した衝撃によって損傷するのは抑制される。更に、受部材６４は、外郭体３４の底壁部４０に対して着脱自在に配設されているので、損傷等した際には受部材６４のみを交換することで対応でき、交換に掛かるコストを低廉に抑えることができる。
【００４５】
次に、前記第２球抜き通路４５から第１球抜き通路４４に通入し、球出口６５から排出されるパチンコ球Ｐの挙動につき説明する。前記第２球抜き操作ボタン３９を操作して前記球送り口４９を閉鎖している第２開閉弁５９を開放すると、球受け皿１６の貯留部４２ａに貯留されているパチンコ球Ｐは、第２球抜き通路４５に流れ込み、該第２球抜き通路４５を流下して、前記第１球抜き通路４４の第１通路部４４ａの途中に通入する。第２球抜き通路４５の底面を構成する第８壁６２には、図６に示す如く、パチンコ球Ｐが１個流通可能な幅狭部４５ａに第３段部６２ａが設けられているので、該第３段部６２ａをパチンコ球Ｐが越えることで減勢される。そして、このパチンコ球Ｐは、前記連通部５４ａから第１通路部４４ａに通入する。第１通路部４４ａに通入する際に勢いの弱いパチンコ球Ｐは、そのまま略真下に落下し、このときに前記第２段部５４ｂに当ることで減勢される。なお、第１通路部４４ａに通入する際に勢いの強いパチンコ球Ｐは、第２段部５４ｂを越えて前記第３壁５５に向けて飛び出し、該第３壁５５の第１段部５６を構成する壁に当ることで減勢される。第１段部５６は一枚ものの壁でなく、左右に離間する壁をリブで連設しているのでパチンコ球Ｐが衝突した際に衝撃を吸収することができ、パチンコ球Ｐの勢いをより弱めることができると共に、当該第１段部５６が損傷するのも抑制し得る。
【００４６】
また、前記第２球抜き通路４５は、連通部５４ａの上流側に前後幅が広い幅広部４５ｂを設けているので、第２球抜き通路４５を流下するパチンコ球Ｐは幅広部４５ｂにおいて前後方向に分散し、連通部５４ａから第１通路部４４ａに通入したパチンコ球Ｐが前記受部材６４の特定箇所に集中して落下するのは抑制される。すなわち、受部材６４から前方に流れるパチンコ球Ｐも分散するので、前記球出口６５から球箱７２に落下するパチンコ球Ｐも分散し、前述したと同様に、パチンコ球Ｐが特定箇所に集中することに起因するパチンコ球Ｐの飛び出しを防止し得る。また、受部材６４へのパチンコ球Ｐの落下位置が分散することで、該受部材６４が損傷するのも抑制し得る。
【００４７】
なお、前記第２球抜き通路４５を介してパチンコ球Ｐを排出する場合も、受部材６４に落下した後のパチンコ球Ｐの挙動は、第１球抜き通路４４を介してパチンコ球Ｐを排出する場合と同様であり、前述したと同じ作用効果を奏する。
【００４８】
ここで、実施例のように球受け皿１６を１つだけ設けた１枚皿タイプのパチンコ機１０では、球受け皿１６におけるパチンコ球Ｐの貯留部４２ａの底面は、一般的な２枚皿タイプのパチンコ機における上側の球受け皿の貯留部と同じ位置であることから、球箱７２にパチンコ球Ｐを排出する際の該球箱７２の底面から貯留部４２ａの底面までの高低差は、２枚皿タイプより大きくなっている。すなわち、貯留部４２ａのパチンコ球Ｐを通出する球抜き口５０から球受け皿１６の球出口６５までの高低差が大きく、球抜き口５０に通入して球出口６５に至るまでにパチンコ球Ｐの勢いが強くなってしまう。このように、貯留部４２ａに貯留されているパチンコ球Ｐを排出する際に、球出口６５から勢いよく落下する傾向にある１枚皿タイプのパチンコ機１０であっても、実施例のような第２通路部４４ｂおよび第１突部６９を採用することで充分な減勢効果が得られ、球箱７２からのパチンコ球Ｐの飛び出しを抑制し得る。また、前記減勢部６７や第２突部７１を設けることで、より高い減勢効果が得られ、球箱７２からのパチンコ球Ｐの飛び出しを確実に防止することができる。
【００４９】
(変更例)
本願は前述した実施例の構成に限定されるものではなく、その他の構成を適宜に採用することができる。
(1) 実施例では、前枠の設置部で球受け皿の貯留部や各通路の後側の開口を閉成する構成としたが、球受け皿の必要箇所に後壁を設けて貯留部や各通路の後側の開口を閉成する構成であってもよい。
(2) 実施例では、第１突部を２つ設ける場合で説明したが、１つあるは３つ以上設けるようにしてもよい。また、複数の第１突部を設ける場合の配置は、左右方向に離間する実施例の配置に限らず、上下方向に離間して配置したり千鳥状に配置する等、各種の配置形態を採用し得る。
(3) 実施例では、減勢部を１つ設ける場合で説明したが、２以上設けるようにしてもよい。また、複数の減勢部を設ける場合の配置は、左右方向に離間する配置に限らず、受部材でのパチンコ球の進行方向の前後に離間して配置したり千鳥状に配置する等、各種の配置形態を採用し得る。
(4) 実施例では、第１突部を三角形状の山形に形成した場合で説明したが、円錐形状や多角形状等、上側から下側に向かうにつれて第２通路部でのパチンコ球の進行方向後方に漸次突出する形状であればよい。すなわち、上側から下側に向けて連続して変位するものでなく、階段状に変位する形状等であってもよい。
(5) 実施例では、第１突部と第２突部とを別体で構成した場合で説明したが、第１突部の下端に第２突部を一体で形成する構成を採用し得る。
(6) 実施例では、減勢部を略三角形状の山形に形成した場合で説明したが、円錐形状や多角形状等、パチンコ球の進行方向上流側から下流側に向かうにつれて上方への突出寸法が大きくなるものであればよい。
(7) 実施例では、第１球抜き通路における第２通路部を後側から前側に向けて延在するよう構成したが、該第２通路部を左右方向に延在するよう構成したものであってもよく、該第２通路部を流下するパチンコ球の進行方向前側の壁面に突部が設けられていればよい。
(8) 実施例では、球受け皿を１つだけ設けた１枚皿タイプのパチンコ機を挙げたが、上下２つの球受け皿を備えた２枚皿タイプのパチンコ機であってもよい。
(9) 遊技機としては、パチンコ機に限られるものではなく、アレンジボール機やパチンコ球を用いたスロットマシン等、その他各種の遊技機であってもよい。
【符号の説明】
【００５０】
１６ 球受け皿
４２ａ 貯留部
４４ 第１球抜き通路(球抜き通路)
４４ｂ 第２通路部(球通路)
５０ 球抜き口
６５ 球出口
６７ｂ 第１傾斜面(傾斜面)
６８ａ 前壁面(壁面)
６９ 第１突部(突部)
６９ａ 稜線
６９ｂ 第２傾斜面(傾斜面)
Ｐ パチンコ球(遊技球)
【図１】
0005828476.tif 000002
【図２】
0005828476.tif 000003
【図３】
0005828476.tif 000004
【図４】
0005828476.tif 000005
【図５】
0005828476.tif 000006
【図６】
0005828476.tif 000007
【図７】
0005828476.tif 000008
【図８】
0005828476.tif 000009
【図９】
0005828476.tif 000010
【図１０】
0005828476.tif 000011